(57)【要約】【課題】転写材の紙間でパッチ画像を形成するときに、転写ニップ部に搬送される後続の転写材への裏面汚れを防止する。【解決手段】トナー画像を担持する像担持体と、像担持体上に形成されたトナー画像を転写材に転写する転写部材と、転写部材に電圧を印加する転写用電源と、転写部材の転写材搬送方向下流に配置された分離除電部材と、分離除電部材に対して転写部材に印加する電圧と逆特性の電圧を印加する分離除電用電源と、像担持体に形成したパッチ画像の濃度を検知する濃度検知手段と、分離除電部材の転写材の通紙幅のうち、少なくとも像担持体に形成されたパッチ画像に対応する部分を遮蔽または開放自在にする遮蔽部材と、を有する。【選択図】図３
2008145827.tif 000002
【特許請求の範囲】
【請求項１】
トナー画像を担持する像担持体と、
前記像担持体上に形成された前記トナー画像を転写材に転写する転写部材と、
前記転写部材に電圧を印加する転写用電源と、
前記転写部材の転写材搬送方向下流に配置された分離除電部材と、
前記分離除電部材に対して前記転写部材に印加する電圧と逆特性の電圧を印加する分離除電用電源と、
前記像担持体に形成したパッチ画像の濃度を検知する濃度検知手段と、
前記分離除電部材の前記転写材の通紙幅のうち、少なくとも前記像担持体に形成された前記パッチ画像に対応する部分を遮蔽または開放自在にする遮蔽部材と、
を有することを特徴とする画像形成装置。
【請求項２】
前記遮蔽部材は、前記トナー画像の転写と前記転写部材からの転写材分離とを行っている時には、前記分離除電部材の前記パッチ画像に対応する部分を開放状態に保持し、それ以外の時には前記分離除電部材の前記パッチ画像に対応する部分を遮蔽することを特徴とする請求項１に記載の画像形成装置。
【請求項３】
前記遮蔽部材は、前記転写部材の転写ニップ部に前記転写材が進入することに同期して前記分離除電部材の前記パッチ画像に対応する部分が開放状態になるように制御する制御手段を有することを特徴とする請求項１または２に記載の画像形成装置。
【請求項４】
前記遮蔽部材は、前記分離除電部材を開閉する遮蔽部と、転写ニップ部に搬送される前記転写材の先端部に当接自在のアクチュエータ部と、前記遮蔽部とアクチュエータ部とを回動可能に支承する回転軸部と、を有することを特徴とする請求項１乃至３の何れか１項に記載の画像形成装置。
【請求項５】
前記遮蔽部材は、前記分離除電部材を遮蔽する遮蔽部を有し、前記転写部材の転写ニップ部への前記転写材の通紙時には、駆動手段により前記遮蔽部を回動させて、前記遮蔽部が前記分離除電部材の前記パッチ画像に対応する部分を開放状態に保持することを特徴とする請求項１乃至４の何れか１項に記載の画像形成装置。
【請求項６】
前記分離除電部材が、鋸歯形状の分離除電針であることを特徴とする請求項１乃至５の何れか１項に記載の画像形成装置。
【請求項７】
前記像担持体は、感光体もしくは中間転写体であることを特徴とする請求項１に記載の画像形成装置。
【請求項８】
前記転写部材は、ローラ状もしくはベルト状であることを特徴とする請求項１に記載の画像形成装置。
【発明の詳細な説明】
【技術分野】
【０００１】
本発明は、複写機、プリンタ、ファクシミリ、及びこれらの機能を併せ持つ電子写真方式を用いた画像形成装置に関し、特に、トナー像担持体等の表面に担持されたトナー画像を転写部材により転写材に転写する画像形成装置、または中間転写体上に形成した複数のカラートナー画像を重ね合わせて、転写部材により転写材に転写するカラー画像形成装置に関する。
【背景技術】
【０００２】
レーザプリンタなどの画像形成装置は、感光体ドラム及びこれに対向配置された転写ローラを備えている。感光体ドラムには、画像データに基づくトナー画像が担持され、この感光体ドラムに担持されたトナー画像は、転写ローラへの転写バイアス電圧の印加によって、感光体ドラムと転写ローラとの間を通過する転写材に転写される。この種の画像形成装置においては、転写ローラの外周面上に転写材がはり付くことがある。
【０００３】
また、中間転写型のカラー画像形成装置を例に挙げると、感光体ドラム等の像担持体の周囲にイエロー、マゼンタ、シアン、ブラックの各色成分の現像装置を備えると共に、像担持体に対し中間転写体を対向配置し、像担持体の各色成分作像サイクル毎に像担持体上に形成された各色成分の未定着トナー画像を中間転写体に順次一次転写した後、中間転写体上に重ね合わされた各色トナー画像を用紙等の転写材へ二次転写して所望のカラー画像を転写材上に形成するようにしたものがある。
【０００４】
中間転写体上の各色トナー画像を転写材に転写する二次転写装置としては、例えばバックアップローラにて支持された中間転写体の表面側（トナー画像が転写される面側）に転写ローラを圧接配置し、中間転写体と転写ローラとで転写材を挟持搬送するとともに、バックアップローラ及び転写ローラの何れか一方もしくは両方に転写バイアス電圧を印加することで、中間転写体上のトナー画像を転写材に一括転写するようにしたものが採用されている。この種のカラー画像形成装置においても、二次転写時に、転写ローラへの転写材のはり付きを防止する分離手段が設けられる。
【０００５】
分離除電部材として、鋸歯形状の分離除電針またはコロナ放電器などが用いられる。
【０００６】
一般に電子写真方式の画像形成装置は、感光体ドラム及び現像装置の画像形成枚数による特性変動等により、画像濃度が変動し易いため、通常の画像形成に先だって濃度制御が行われる。特に、カラー画像形成装置は微妙なカラーバランスを保つことが要求されるため、Ｙ、Ｍ、Ｃ、Ｋのそれぞれについて、より正確な濃度制御が求められている。
【０００７】
近年、複写機、プリンタ、ファクシミリ、これらの機能を合わせ持つ複合機等の画像形成装置において、重合トナーや小粒径トナーの採用により、転写プロセスにおいても高画質化への要求が大きくなってきている。また、画像形成装置の高速化も進んでいる。
【０００８】
像担持体上にパッチ画像を形成し、その濃度を検出することによって、帯電電位、露光電位、現像バイアス電位などの画像形成条件を変更する制御を行って安定した画像を出力させるようにする画像形成装置は従来から知られている。
【０００９】
しかし、このような制御は、時間がかかるため、画像形成処理のジョブの途中に濃度制御の時間を設けて行った場合には、生産性が低下する。
【００１０】
その対策として、画像形成処理中に、画像と画像との間（紙間）で、パッチ画像を形成することにより、画像濃度の制御を行わせることが考えられる。
【００１１】
しかし、パッチ画像を転写材のない紙間に形成させると、パッチ画像が転写ローラに転写されてしまい、後続の転写材の裏面汚れを引き起こすという不具合がある。
【００１２】
その対策として、パッチ画像が到達するタイミングで、転写ローラを像担持体から離間させたり、転写逆バイアス電圧（トナーの電荷と逆特性のバイアス電圧）を印加する技術がある。
【００１３】
特許文献１の画像形成装置では、感光体ドラム上のパッチ画像が一次転写部にて中間転写ベルトに転写されてしまうとパッチ画像の濃度を精度よく検知できないから、パッチ画像が一次転写部を通過する際には、感光体ドラムから中間転写ベルトを離間させて、パッチ画像が中間転写ベルトに転写されないようにしている。
【特許文献１】特開２００１−５２３７号公報
【発明の開示】
【発明が解決しようとする課題】
【００１４】
上述の従来の技術の画像濃度制御では、なお以下の課題がある。
【００１５】
（１）  高速の画像形成装置においては、転写部材を離間した後、また圧着させるに要する時間が確保できない。
【００１６】
（２）  転写部材に隣接して、転写ローラと逆特性のバイアス電圧が印加されている分離除電部材を有する場合、転写部材に逆特性のバイアス電圧を印加しても、分離除電のための放電（ＡＣ＋ＤＣ電圧）に妨げられて、転写の放電が出来ない。
【００１７】
（３）  転写材の紙間で分離除電出力をオフにすれば、転写逆バイアス電圧の印加が可能になるが、高速の画像形成装置では、紙間で分離出力をオフ／オンする時間がない。即ち、転写部材は高抵抗の弾性体であり、高圧電源からの出力が安定するまでに時間を要する。隣接して放電する分離除電針の出力もこの影響を受ける。特に、ＡＣ電圧の場合は安定までに数百ｍｓの時間が必要である。
【００１８】
本発明は、以上の技術的課題を解決するためになされたものであって、転写時の放電に対する負荷を、転写材の紙間で、パッチ画像での分離除電出力を抑制させることにより、転写ニップ部の搬送される後続の転写材への裏面汚れを防止する画像形成装置を提供することを目的とするものである。
【課題を解決するための手段】
【００１９】
上記の目的を達成する本発明の画像形成装置は、トナー画像を担持する像担持体と、前記像担持体上に形成された前記トナー画像を転写材に転写する転写部材と、前記転写部材に電圧を印加する転写用電源と、前記転写部材の転写材搬送方向下流に配置された分離除電部材と、前記分離除電部材に対して前記転写部材に印加する電圧と逆特性の電圧を印加する分離除電用電源と、前記像担持体に形成したパッチ画像の濃度を検知する濃度検知手段と、前記分離除電部材の前記転写材の通紙幅のうち、少なくとも前記像担持体に形成された前記パッチ画像に対応する部分を遮蔽または開放自在にする遮蔽部材と、を有することを特徴とする画像形成装置。
【発明の効果】
【００２０】
本発明の画像形成装置により、以下の効果が得られる。
【００２１】
転写材の紙間では、パッチ画像の部分の分離除電部材による放電が抑制され、転写の放電負荷が局部的に上昇する。従って、パッチ画像位置の転写放電が抑制され、紙間のパッチ画像を転写ローラ側に引き寄せ難くなるから、転写材の紙間で、パッチ画像での分離除電出力が抑制され、転写ニップ部の搬送される後続の転写材への裏面汚れが防止される。
【発明を実施するための最良の形態】
【００２２】
本発明を実施の形態を用いて説明するが、本発明は以下に説明する実施の形態に限られるものではない。
【００２３】
図１は、本発明の実施の形態に係る画像形成装置Ａの要部を示す断面図である。
【００２４】
この画像形成装置Ａは、タンデム型カラー画像形成装置と称せられるもので、複数組の画像形成手段２０Ｙ、２０Ｍ、２０Ｃ、２０Ｋ、第２の像担持体（中間転写ベルト）１、一次転写ローラ２５Ｙ、２５Ｍ、２５Ｃ、２５Ｋ、転写部材（二次転写ローラ）３から成る中間転写ユニットと、定着装置１６、及び図示しない給紙装置を有する。
【００２５】
原稿台上に載置された原稿は画像読取装置の原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段２３Ｙ、２３Ｍ、２３Ｃ、２３Ｋに入力される。
【００２６】
イエロー（Ｙ）色の画像を形成する画像形成手段２０Ｙは、第１の像担持体（感光体）２１Ｙの周囲に配置された帯電手段２２Ｙ、露光手段２３Ｙ、現像手段２４Ｙ及びクリーニング手段２６Ｙを有する。
【００２７】
マゼンタ（Ｍ）色の画像を形成する画像形成手段２０Ｍは、第１の像担持体（感光体）２１Ｍ、帯電手段２２Ｍ、露光手段２３Ｍ、現像手段２４Ｍ及びクリーニング手段２６Ｍを有する。
【００２８】
シアン（Ｃ）色の画像を形成する画像形成手段２０Ｃは、第１の像担持体（感光体）２１Ｃ、帯電手段２２Ｃ、露光手段２３Ｃ、現像手段２４Ｃ及びクリーニング手段２６Ｃを有する。
【００２９】
黒（Ｋ）色の画像を形成する画像形成手段２０Ｋは、第１の像担持体（感光体）２１Ｋ、帯電手段２２Ｋ、露光手段２３Ｋ、現像手段２４Ｋ及びクリーニング手段２６Ｋを有する。
【００３０】
帯電手段２２Ｙと露光手段２３Ｙ、帯電手段２２Ｍと露光手段２３Ｍ、帯電手段２２Ｃと露光手段２３Ｃ及び帯電手段２２Ｋと露光手段２３Ｋとは、潜像形成手段を構成する。
【００３１】
感光体２１Ｙ、２１Ｍ、２１Ｃ、２１Ｋとしては、ＯＰＣ感光体やａＳｉ感光体等の周知のものが用いられるが、ＯＰＣ感光体が好ましく、特に、負帯電性のＯＰＣ感光体が好ましく本実施の形態では、負帯電性のＯＰＣ感光体が用いられる。
【００３２】
帯電手段２２Ｙ、２２Ｍ、２２Ｃ、２２Ｋとしては、スコロトロン、コロトロン等のコロナ放電手段が用いられるが、スコロトロン放電手段が好ましく用いられる。
【００３３】
露光手段２３Ｙ、２３Ｍ、２３Ｃ、２３Ｋとしては、レーザ、ＬＥＤアレイ等、画像データに従って発光する発光素子が用いられる。
【００３４】
中間転写ベルト１は、半導電性であり、転写対向ローラ２、支持ローラ２Ｂ、駆動ローラ２Ｃ、従動ローラ２Ｄ、テンションローラ２Ｅ、クリーニングローラ２Ｆ、センサＰＳに対向するローラ２Ｇにより巻回され、循環移動可能に支持される。本実施の形態では、中間転写ベルト１は、駆動ローラ２Ｃと従動ローラ２Ｄとの間が平面状に支持されている。
【００３５】
画像形成手段２０Ｙ、２０Ｍ、２０Ｃ、２０Ｋより形成された各色のトナー像は、回動する中間転写ベルト１上に一次転写ローラ２５Ｙ、２５Ｍ、２５Ｃ、２５Ｋにより逐次転写されて（一次転写）、合成されたカラー画像のトナー画像Ｔが中間転写ベルト１上に形成される。このトナー画像Ｔは二次転写ローラ３によって転写材Ｐに転写される。
【００３６】
図１に示すカラー画像形成装置においては、パッチ画像は、発光素子と受光素子とを有する画像濃度センサ２７によって反射光を測定することで行われる。
【００３７】
これらの画像濃度センサ２７を中間転写ベルト１上に形成される一次転写部の最下流側に設置し、中間転写ベルト１上に形成されたパッチ画像の濃度を測定することによって行う。画像濃度は、この測定結果に基づいて制御手段により、感光体２１Ｙ、２１Ｍ、２１Ｃ、２１Ｋの帯電電位、レーザ露光電位、現像バイアス電位などの画像形成条件を変更することで制御される。
【００３８】
給紙装置の給紙カセット内に収容された転写材Ｐは、図示しない給紙手段（第１給紙部）により給紙され、給紙ローラ１２、レジストローラ（第２給紙部）１３を通過して、二次転写手段の二次転写ローラ３と転写対向ローラ２とが中間転写体１を介して当接する転写ニップ部Ｎに搬送され、転写材Ｐ上にトナー像が転写される（二次転写）。
【００３９】
あるいは、手差し給紙手段から送り出される転写材Ｐは、給紙ローラ１１、レジストローラ１３を経て転写ニップ部Ｎに搬送される。
【００４０】
カラー画像が転写された転写材Ｐは、搬送ベルト１５によって搬送され、定着装置１６において熱と圧力とを加えられ、転写材Ｐを曲率分離及び分離爪１４により分離した中間転写体１は、クリーニングローラ２Ｆにより残留トナーが除去される。
【００４１】
図２は、画像形成装置Ａの他の実施の形態の画像形成手段４０を示す断面図である。
【００４２】
像担持体（感光体）４１の周囲には、画像形成プロセス順に、帯電手段４２、露光手段４３、現像手段４４、転写ローラ４５、分離爪４６、クリーニング手段４７が配設されている。
【００４３】
転写ローラ４５は、回転軸の表面に形成された導電性の弾性層により形成されている。転写ローラ４５には、転写用電源４５Ｅによって転写電圧が印加される。転写ローラ４５に対向する感光体４１は接地されている。
【００４４】
転写ローラ４５と感光体４１とが圧接する転写ニップ部Ｎの転写材搬送方向下流側には、分離除電部材４８が配置されている。分離除電部材４８には、分離除電用電源４８Ｅによって転写ローラ４５に印加される転写電圧と逆特性の電圧が印加される。
【００４５】
パッチ画像の濃度制御は、発光素子と受光素子とを有する濃度検知手段４９によって反射光を測定することで行われる。
【００４６】
転写用電源４５Ｅは、転写ローラ４５に付着した残留トナーを逆バイアス印加により感光体体４１に転移させる。残留トナーを担持した感光体４１はクリーニング手段４７によりクリーニングされる。
【００４７】
図３は、二次転写手段及び分離除電部材の斜視図である。図４は、二次転写部及び転写ローラ近傍の側面図である。
【００４８】
分離除電針４の転写材搬送方向下流側には、遮蔽部材５が揺動自在に配置されている。遮蔽部材５は、分離除電針４の長手方向で、転写ニップ部Ｎに搬送される前記転写材間に相当する中間転写ベルト１上のパッチ画像Ｐａに対応する部分を遮蔽または開放自在にする。
【００４９】
二次転写手段を構成する二次転写ローラ３には、転写用電源３Ｅによって転写電圧が印加される。中間転写ベルト１を介して二次転写ローラ３に対向する転写対向ローラ２は接地されている。
【００５０】
中間転写ベルト１は、ポリイミド、ポリカーボネイト、ポリエステル等の樹脂、又は、各種ゴムに導電剤が含有されたもので、体積抵抗率が１０5乃至１０12Ω・ｃｍとなるように調整されている。
【００５１】
二次転写ローラ３は、第２の像担持体である中間転写ベルト１に形成された画像を転写材Ｐに転写する役割を担い、トナーと逆特性の放電（例えば、１００μＡの直流定電流を印加）をさせることにより、中間転写ベルト１上のトナーを引き寄せる。
【００５２】
二次転写ローラ３に対向する中間転写ベルト１の内側に配置された転写対向ローラ２に転写バイアスを印加する場合は、トナーと同極性のバイアス電圧を印加することによってトナーに斥力を与えて転写材Ｐに転写させる。
【００５３】
二次転写ローラ３は、アクリロニトリル・ブタジエンゴム（ＮＢＲ）やウレタンゴム等の弾性部材の表面にフッ素樹脂をコーティングしたもの、または、フッ素系やナイロン系のチューブを弾性部材の表面に被覆したもの等が用いられる。二次転写ローラ３は、導電剤の導入により体積抵抗が１０3Ω乃至１０12Ωに制御されている。二次転写ローラ３は図示しない駆動手段によって回転される。
【００５４】
二次転写ローラ３と転写対向ローラ２とが圧接する転写ニップ部Ｎの転写材搬送方向下流側には、非接触方式の分離除電部材（分離除電針）４が配置されている。分離除電針４は、鋸歯形状の導電性薄板、複数の導電性針状電極を平行に配列したもの、少なくとも１本の導電性ワイヤを張設したもの等が用いられ、電圧の印加によってコロナ放電が行われる。
【００５５】
分離除電針４には、分離除電用電源４Ｅによって二次転写ローラ３に印加される転写電圧と逆特性の電圧が印加される。例えば、負の電荷を有するトナーを転写する場合には、二次転写ローラ３に正の転写電圧を、分離除電針４には負の除電電圧を印加する。
【００５６】
分離除電針４には、転写バイアスと逆特性のＡＣ＋ＤＣバイアス電圧が印加されている。例えば、ＡＣ実効電流６０μＡ＋ＤＣ実効電流−３０μＡのバイアス電圧が印加される。
【００５７】
分離除電針４は、分離を行うとともに、適切な電荷を転写材Ｐに保持させることにより、搬送中の転写材Ｐに保持された未定着画像のトナーチリの発生を防止させる役割も担っている。
【００５８】
この二次転写出力と、分離除電針４の出力とは、逆特性で且つ近接した配置で放電されるため、相互に影響を与え合っている。片方だけで放電するよりも、逆特性の放電が近くで起こっている方が放電しやすい。また、これらは定電流により放電しており、長手方向での放電に対する負荷が変化した場合には、より負荷の小さい場所へ電流が流れやすくなることがわかっている。
【００５９】
このような背景にあって、例えば、１０ｍｍ×２０ｍｍの長方形のパッチ画像Ｐａが形成された場合には、パッチ画像Ｐａの形成位置（例えば、長手方向の中央付近）で転写と分離の放電の相乗効果を無効にさせることで、中間転写ベルト１上のパッチ画像Ｐａを二次転写ローラ３側に引き寄せ難くする。
【００６０】
その方法として、本発明では、パッチ画像Ｐａの形成位置に相当する分離除電針４の先端部を遮蔽部材５により遮蔽しておく。そうすることにより、転写の放電電流は、遮蔽部材５のあるところ以外に流れやすくなり、遮蔽部材５のパッチ画像Ｐａの形成位置での放電は弱まる。したがって、パッチ画像Ｐａが二次転写ローラ３に転写されない。それにより、後続の次の転写材Ｐの裏面汚れが発生しなくなる。
【００６１】
遮蔽部材５は、通紙時には、分離除電針４を開放状態に保持し、除電の放電が長手方向で均一となり、転写と分離の放電のやりとりも均一に行われるようになる。
【００６２】
図５は、二次転写部及び転写ローラ近傍の正面図である。
【００６３】
遮蔽部材５は、遮蔽部５Ａと、上部のアクチュエータ部５Ｂと、回転軸部５Ｃと、下部の舌部５Ｄとを一体に形成したものである。舌部５Ｄの先端部に掛けられたバネ６は、遮蔽部材５を付勢して、回転軸部５Ｃを回転中心にして揺動させる。
【００６４】
図５（ａ）は、遮蔽部材５が分離除電針４の先端部を遮蔽した状態を示す。遮蔽部材５の遮蔽部５Ａは、画像の転写と転写材の分離を行っているとき以外は、バネ６によって付勢されて、分離除電針４の先端部を遮蔽している。即ち、遮蔽部材５は、分離除電針４のパッチ画像Ｐａに対応する部分、例えば、分離除電針４の先端部の中央部近傍を遮蔽している。
【００６５】
図５（ｂ）は、遮蔽部材５が分離除電針４の先端部を開放した状態を示す。遮蔽部材５の遮蔽部５Ａは、画像の転写と転写材の分離を行っているときには、遮蔽部材５の遮蔽部５Ａは、転写材Ｐの通紙によって当接し、バネ６による付勢に抗して回転軸部５Ｃを回転中心にして倒され、分離除電針４の先端部の遮蔽を解除し、通常の転写、分離の性能が得られる。
【００６６】
図６は、分離除電針４の長手方向の電流分布を示す図である。
【００６７】
分離除電針４の中央部は遮蔽部材５により遮蔽されて、分離除電針４の放電が抑制されているため、転写に対する負荷が上がり、パッチ画像Ｐａの対応位置における分離除電針４の放電を無効にする。即ち、分離除電針４のトータル電流としては変わらないが、分離除電針４の電流分布が変わる。
【００６８】
図７は、二次転写部及び転写ローラ近傍の正面図であり、図７（ａ）は、遮蔽部材５が分離除電針４の先端部を遮蔽した状態を示し、図７（ｂ）は、遮蔽部材５が分離除電針４の先端部を開放した状態を示す。
【００６９】
なお、図面に使用されている符号について、図４と同じ機能を有する部分には同じ符号を付している。また、図４と異なる点を説明する。
【００７０】
遮蔽部材５の動作は、図５に示したように、転写材Ｐの搬送に連動して自動的に行わせることができるが、腰の弱い薄手の転写材Ｐの場合には、遮蔽部材５の遮蔽部５Ａに当接する際に、転写材Ｐの先端部が変形して転写材搬送不良を発生するおそれがある。この対策として、転写材Ｐの通紙状態を検知するセンサ（例えばレジストセンサ）ＰＳや、画像形成のトリガなどを基にして、転写材Ｐが転写ニップ部Ｎを通過するときに、ソレノイドを作動させて、遮蔽部材５を揺動自在となし、分離除電針４を開閉可能にするように構成してもよい。
【００７１】
遮蔽部材５は、遮蔽部５Ａと、回転軸部５Ｃと、下部の舌部５Ｄとを一体に形成したものである。舌部５Ｄの先端部に掛けられたバネ６は、遮蔽部材５を付勢して、回転軸部５Ｃを回転中心にして揺動し、分離除電針４の先端部を遮蔽する。舌部５Ｄの先端部に接続したソレノイドＳＯＬは、遮蔽部材５を揺動させて分離除電針４の先端部を開放自在にする。
【００７２】
図８は、分離除電針４及び遮蔽部材５の駆動を制御する制御手段のブロック図である。
【００７３】
画像形成手段２０Ｙ、２０Ｍ、２０Ｃ、２０Ｋにより感光体２１Ｙ、２１Ｍ、２１Ｃ、２１Ｋ上に各色のトナー画像が形成される。回動する中間転写ベルト１上に重ね合わされたパッチ画像Ｐａは、二次転写部において、レジストローラ１３から搬送される転写材Ｐの紙間に対応する位置に形成されるように制御手段９により制御される。
【００７４】
二次転写部の転写材搬送方向下流側に配置された分離除電針４の長手方向の中央部付近を遮蔽する遮蔽部材５は、ソレノイドＳＯＬにより駆動され、二次転写部をパッチ画像Ｐａが通過するときには分離除電針４を遮蔽して二次転写ローラ３への転写を防止し、転写材Ｐが通過するときには分離除電針４を開放状態にする。
【００７５】
以上の制御により、転写の放電に対する負荷を、紙間で、長手方向の一部の位置、例えば、分離除電針４の中央部付近の位置で、分離の放電の仕方を変えることによって行わせることができ、紙間にパッチ画像Ｐａを形成した高速の画像形成装置においても、後続の転写材Ｐの裏面汚れを防止することができる。
【図面の簡単な説明】
【００７６】
【図１】本発明の実施の形態に係る画像形成装置の要部を示す断面図。
【図２】画像形成装置の他の実施の形態の画像形成手段を示す断面図。
【図３】二次転写部及び分離除電部材の斜視図。
【図４】二次転写部及び転写ローラ近傍の側面図。
【図５】二次転写部及び転写ローラ近傍の正面図。
【図６】分離除電針の長手方向の電流分布を示す図。
【図７】二次転写部及び転写ローラ近傍の正面図。
【図８】分離除電針及び遮蔽部材の駆動を制御する制御手段のブロック図。
【符号の説明】
【００７７】
１  第２の像担持体（中間転写ベルト）
２  転写対向ローラ
３  転写部材（二次転写ローラ）
３Ｅ  転写用電源
４  分離除電部材（分離除電針）
４Ｅ  分離除電用電源
５  遮蔽部材
５Ａ  遮蔽部
５Ｂ  アクチュエータ部
６  バネ
９  制御手段
１３  レジストローラ（第２給紙部）
２０Ｙ、２０Ｍ、２０Ｃ、２０Ｋ  画像形成手段
２１Ｙ、２１Ｍ、２１Ｃ、２１Ｋ  第１の像担持体（感光体）
２５Ｙ、２５Ｍ、２５Ｃ、２５Ｋ  一次転写ローラ
２７  画像濃度センサ
４０  画像形成手段
４１  像担持体（感光体）
４５  転写ローラ
４５Ｅ  転写用電源
４８  分離除電部材
４８Ｅ  分離除電用電源
４９  濃度検知手段（濃度センサ）
Ａ  画像形成装置
Ｎ  転写ニップ部
Ｐ  転写材
Ｐａ  パッチ画像
ＳＯＬ  ソレノイド
【図１】
2008145827.tif 000003
【図２】
2008145827.tif 000004
【図３】
2008145827.tif 000005
【図４】
2008145827.tif 000006
【図５】
2008145827.tif 000007
【図６】
2008145827.tif 000008
【図７】
2008145827.tif 000009
【図８】
2008145827.tif 000010